(57)【要約】【課題】通信速度が高速であっても、ノイズの発生を抑制することができる接続部シールド部材を提供する。【解決手段】通信装置に接続されるコネクタに取り付けられる接続部シールド部材であって、電磁波を遮蔽する材料により形成された第１の部材及び第２の部材を有し、前記第１の部材と前記第２の部材とは、前記第１の部材と前記第２の部材とにより、前記コネクタの一部が挟まれた状態で固定されており、前記第１の部材または前記第２の部材の前記通信装置に取り付けられる側には、電磁波を遮蔽する材料により形成されたガスケットが設けられており、前記通信装置に前記コネクタが接続されている状態においては、前記ガスケットは、前記通信装置の筐体と接していることを特徴とする接続部シールド部材により上記課題を解決する。【選択図】図２
2018113376.tif 000002
【特許請求の範囲】
【請求項１】
通信装置に接続されるコネクタに取り付けられる接続部シールド部材であって、
電磁波を遮蔽する材料により形成された第１の部材及び第２の部材を有し、
前記第１の部材と前記第２の部材とは、前記第１の部材と前記第２の部材とにより、前記コネクタの一部が挟まれた状態で固定されており、
前記第１の部材または前記第２の部材の前記通信装置に取り付けられる側には、電磁波を遮蔽する材料により形成されたガスケットが設けられており、
前記通信装置に前記コネクタが接続されている状態においては、前記ガスケットは、前記通信装置の筐体と接していることを特徴とする接続部シールド部材。
【請求項２】
前記第１の部材には、前記コネクタの一部が入る凹部が設けられており、
前記第２の部材には、前記第１の部材の一部または全部が入る凹部が設けられており、
前記第１の部材の側壁部の外側の面、または、前記第２の部材の側壁部の内側の面のうちの一方には溝部が設けられており、他方には前記溝部に対応した突起が設けられており、
前記溝部に前記突起が入り込むことにより、前記第１の部材と前記第２の部材とが固定されていることを特徴とする請求項１に記載の接続部シールド部材。
【請求項３】
前記第１の部材及び前記第２の部材の前記通信装置に取り付けられる側には、電磁波を遮蔽する材料により形成されたガスケットが各々設けられており、
前記通信装置に前記コネクタが接続されている状態においては、各々の前記ガスケットは、前記通信装置の筐体と接していることを特徴とする請求項１または２に記載の接続部シールド部材。
【請求項４】
前記第１の部材における凹部の壁部と、前記コネクタの光ケーブルが接続されている面との間には、ガスケットが設けられていることを特徴とする請求項１から３のいずれかに記載の接続部シールド部材。
【請求項５】
前記コネクタは、光信号を電気信号に、または、電気信号を光信号に変換する通信装置に接続される光コネクタであることを特徴とする請求項１から４のいずれかに記載の接続部シールド部材。
【請求項６】
通信装置に接続されるコネクタに取り付けられる接続部シールド部材による接続部シールド方法であって、
接続部シールド部材は、電磁波を遮蔽する材料により形成された第１の部材及び第２の部材を有し、
前記第１の部材と前記第２の部材とは、前記第１の部材と前記第２の部材とにより、前記コネクタの一部が挟まれた状態で固定されており、
前記第１の部材または前記第２の部材の前記通信装置に取り付けられる面には、電磁波を遮蔽する材料により形成されたガスケットが設けられており、
前記通信装置に前記コネクタが接続されている状態においては、前記ガスケットは、前記通信装置の筐体と接していることを特徴とする接続部シールド方法。
【請求項７】
前記コネクタは、光信号を電気信号に、または、電気信号を光信号に変換する通信装置に接続される光コネクタであることを特徴とする請求項６に記載の接続部シールド方法。
【発明の詳細な説明】
【技術分野】
【０００１】
本発明は、接続部シールド部材及び接続部シールド方法に関するものである。
【背景技術】
【０００２】
近年、光信号を用いた通信方式の普及が進んでおり、このような光信号を用いた通信方式では、大容量の情報を高速に伝送可能であるため、通信速度がＭＨｚ級からＧＨｚ級へと高速化が進んでいる。このような光信号を用いた通信方式に用いられる通信装置には、光信号を電気信号に、また、電気信号を光信号に変換する電子素子等を有しており、光信号を伝送するための光ケーブルが光コネクタを介して接続されている。
【先行技術文献】
【特許文献】
【０００３】
【特許文献１】特開２０１３−５０５１２号公報
【特許文献２】特開２０１４−１６０２２０号公報
【発明の概要】
【発明が解決しようとする課題】
【０００４】
ところで、通信速度が高速になると、従来は発生していなかったノイズが発生する場合があり、このようなノイズが発生すると、他の電子装置において誤動作等を招く場合がある。例えば、光通信の通信速度が低い場合には、発生していなかった高周波のノイズが、通信速度が高くなることにより、顕著に発生する場合がある。
【０００５】
このため、通信速度が高速となっても、ノイズの発生を抑制することのできるものが求められている。
【課題を解決するための手段】
【０００６】
本実施の形態の一観点によれば、通信装置に接続されるコネクタに取り付けられる接続部シールド部材であって、電磁波を遮蔽する材料により形成された第１の部材及び第２の部材を有し、前記第１の部材と前記第２の部材とは、前記第１の部材と前記第２の部材とにより、前記コネクタの一部が挟まれた状態で固定されており、前記第１の部材または前記第２の部材の前記通信装置に取り付けられる側には、電磁波を遮蔽する材料により形成されたガスケットが設けられており、前記通信装置に前記コネクタが接続されている状態においては、前記ガスケットは、前記通信装置の筐体と接していることを特徴とする。
【発明の効果】
【０００７】
開示の接続部シールド部材によれば、通信速度が高速であっても、ノイズの発生を抑制することができる。
【図面の簡単な説明】
【０００８】
【図１】通信装置に光コネクタが接続されている状態の斜視図
【図２】本実施の形態における接続部シールド部材の分解斜視図
【図３】光コネクタの側面図
【図４】本実施の形態における接続部シールド部材が取り付けられた光コネクタの斜視図
【図５】本実施の形態における接続部シールド部材が取り付けられた光コネクタの構造図
【図６】本実施の形態における接続部シールド部材のベースの斜視図
【図７】本実施の形態における接続部シールド部材のベースの構造図
【図８】本実施の形態における接続部シールド部材のカバーの斜視図
【図９】本実施の形態における接続部シールド部材のベースの構造図
【図１０】本実施の形態における接続部シールド部材の取り付け方法の説明図（１）
【図１１】本実施の形態における接続部シールド部材の取り付け方法の説明図（２）
【図１２】本実施の形態における接続部シールド部材が取り付けられた光コネクタの通信装置への接続方法の説明図
【図１３】本実施の形態における接続部シールド部材が取り付けられた光コネクタが通信装置に接続されている状態の斜視図
【発明を実施するための形態】
【０００９】
実施するための形態について、以下に説明する。尚、同じ部材等については、同一の符号を付して説明を省略する。
【００１０】
最初に、通信装置に光ケーブルに取り付けられた光コネクタが接続されている場合に、発生するノイズについて説明する。図１に示されるように、この通信装置１０には、光ケーブル３０に取り付けられた光コネクタ２０が接続されている。通信装置１０は、全体が金属により形成された筐体１１に覆われており、筐体１１の内部には、不図示の電気信号を光信号に変換する素子、例えば、発光素子、光信号を電気信号に変換する素子、例えば、受光素子等が複数設けられている。筐体１１の背面には、通信装置１０に光コネクタ２０を接続するための開口部１２が複数設けられている。
【００１１】
光コネクタ２０は、ＳＣコネクタ（Square-shaped  Connector）等であり、光信号を伝送するための光ファイバーが内部に設けられている光ケーブル３０に取り付けられている。光コネクタ２０は、通信装置１０の筐体１１の背面に設けられた開口部１２に差し込むことにより、通信装置１０に接続される。光コネクタ２０を通信装置１０に接続することにより、光ケーブル３０の光ファイバー内を伝播している光信号は、光コネクタ２０より通信装置１０の内部に入力される。このように、光コネクタ２０より通信装置１０の内部に入力された光信号は、光信号を電気信号に変換する素子により電気信号に変換され、電気信号として用いられる。また、通信装置１０には、外部より電気信号等が入力しており、入力等された電気信号は、電気信号を光信号に変換する素子により、光信号に変換され、光コネクタ２０を介し、光ケーブル３０の光ファイバー内に入射し伝播する。
【００１２】
ところで、通信装置１０に光コネクタ２０が接続されている状態において、ＧＨｚ級の高速通信を行うとノイズが発生することが確認されている。このようなノイズは、通信装置１０内において発生した電気信号に起因して生じた電磁波であり、通信装置１０の筐体１１の背面の開口部１２より外部に漏れた電磁波である。
【００１３】
即ち、通信装置１０の内部では、光信号を変換することにより生じた電気信号や、通信装置１０の外部より入力された電気信号が伝送されており、このような電気信号に起因した電磁波が発生している。通信装置１０は全体が筐体１１により覆われており、筐体１１は金属材料により形成されているため、筐体１１に覆われている部分は、電磁シールドされている。従って、この部分から外に漏れることはない。しかしながら、筐体１１の背面には、光コネクタ２０を接続するための開口部１２が設けられており、この部分は、金属により覆われてはいない。
【００１４】
一方、光ケーブル３０が接続されている光コネクタ２０は、樹脂材料等により形成されているため、電磁波は光コネクタ２０を透過する。よって、通信装置１０の筐体１１の開口部１２に光コネクタ２０が接続されている状態では、通信装置１０の内部で発生した電磁波は、通信装置１０の筐体１１の開口部１２に差し込まれた光コネクタ２０を透過し、通信装置１０の筐体１１の外に漏れてしまう。このように、通信装置１０の筐体１１の外に漏れた電磁波がノイズとなる。
【００１５】
ところで、近年、通信速度の高速化により、このようなノイズの発生が顕著になってきている。電磁波は、波長の１／２以下の幅の開口は通ることができず遮蔽されるが、通信速度が高速化すると、周波数が高くなり電磁波の波長も短くなる。従って、従来は、通信速度が低く、発生する電磁波の周波数が低く波長が長いため、開口部１２よりノイズとなるような電磁波は漏れることはなかったが、通信速度が高くなると、発生する電磁波の周波数が高く波長も短くなり、開口部１２より漏れる場合がある。具体的には、通信速度が高くなり、発生する電磁波の波長が、開口部１２の幅の２倍よりも小さくなると、発生した電磁波は、開口部１２を通り、筐体１１の外に漏れる。このように開口部１２より漏れ出た電磁波がノイズとなる。
【００１６】
言い換えるならば、通信速度がＭＨｚ級の場合、発生する電磁波の周波数が比較的低いため波長が長く、開口部１２が設けられていても、開口部１２の大きさは、電磁波の波長の１／２よりも狭いため、開口部１２より電磁波が漏れ出ることはなかった。しかしながら、通信速度がＧＨｚ級に高速になると、発生する電磁波の周波数が高く波長も短くなるため、電磁波の波長が、開口部１２の幅の２倍よりも小さくなる場合がある。この場合、通信装置１０の内部において発生した電磁波は、筐体１１の開口部１２を透過し外に放射される。従って、通信速度が高速になると、筐体１１の開口部１２より高い周波数の電磁波が漏れ出し、漏れ出た電磁波がノイズとなり、通信装置の周囲の他の電子機器等において、誤動作等が生じる。
【００１７】
（接続部シールド部材）
次に、本実施の形態における接続部シールド部材について図２〜図５に基づき説明する。図２は、本実施の形態における接続部シールド部材の分解斜視図であり、図３は、本実施の形態における接続部シールド部材が取り付けられる光コネクタ２０の側面図である。図４及び図５は、本実施の形態における接続部シールド部材が取り付けられている光コネクタ２０を示すものである。図４（ａ）は、光コネクタ２０に本実施の形態における接続部シールド部材が取り付けられている状態の正面側から見た斜視図であり、図４（ｂ）は、背面側から見た斜視図である。また、図５（ａ）は、光コネクタ２０に本実施の形態における接続部シールド部材が取り付けられている状態の上面図、図５（ｂ）は正面図、図５（ｃ）は背面図、図５（ｄ）は側面図、図５（ｅ）は底面図である。
【００１８】
図２に示すように、本実施の形態における接続部シールド部材は、ベース１１０とカバー１２０とにより形成されている。ベース１１０とカバー１２０は、金属材料により形成されており、ベース１１０とカバー１２０により、光コネクタ２０を上下より覆う構造となっている。本願においては、ベース１１０を第１の部材、カバー１２０を第２の部材と記載する場合がある。
【００１９】
ベース１１０及びカバー１２０は、金属板を折り曲げることにより形成されたものであってもよいが、この場合、折り曲げられた金属板と金属板との間に隙間が形成される場合があり、この隙間からノイズとなる電磁波が漏れる場合がある。このため、ベース１１０及びカバー１２０は、隙間等が形成されることのない金属材料の削り出しにより形成されているものが好ましい。ベース１１０及びカバー１２０は、電磁波を遮蔽する材料、具体的には、金属材料であれば何でもよいが、パーマロイ等により形成することにより、電磁シールドの効果を高めることができる。尚、光コネクタ２０には、光ケーブル３０が接続されており、光ケーブル３０内における光ファイバーが折れ曲がることを防ぐため、光コネクタ２０との接続部分には、ピグテール４０が設けられている。
【００２０】
図６及び図７に示されるように、ベース１１０には、光コネクタ２０の一部が入る凹部１１１が設けられている。尚、図６は、ベース１１０の上面側から見た斜視図であり、図７（ａ）は、ベース１１０の上面図、図７（ｂ）は正面図、図７（ｃ）は背面図、図７（ｄ）は側面図、図７（ｅ）は底面図である。ベース１１０の凹部１１１は、底面を形成する底部１１２と、底部１１２の周囲に設けられた対向する２つの側壁部１１３と、背面壁部１１４により形成されており、光コネクタ２０の通信装置と接続される部分が露出するように、正面側は開いている。ベース１１０の凹部１１１に光コネクタ２０の一部が入れられた状態では、光コネクタ２０の底面２０ａは、ベース１１０の凹部１１１の底部１１２により覆われる。また、光コネクタ２０の両側の側面２０ｂは、ベース１１０の凹部１１１の両側の側壁部１１３の内側の面１１３ａにより覆われる。
【００２１】
また、ベース１１０の凹部１１１の背面壁部１１４は、光コネクタ２０の背面２０ｃ側に設けられている。背面壁部１１４には、光コネクタ２０に接続されている光ケーブル３０を覆うピグテール４０が入る背面開口１１５が形成されている。光コネクタ２０の背面２０ｃと、ベース１１０の凹部１１１の背面壁部１１４との間には、図２等に示されるスポンジ状の背面側ガスケット１３１、１３２が入れられている。背面側ガスケット１３１、１３２は、電磁波を遮断する材料であって、スポンジ状の弾性を有する材料により形成されており、シールディングガスケット等と呼ばれている。背面側ガスケット１３１には、ピグテール４０が入る凹部１３１ａが形成されており、背面側ガスケット１３２には、ピグテール４０が入る凹部１３２ａが形成されている。よって、光コネクタ２０に接続されている光ケーブル３０を覆うピグテール４０は、背面側ガスケット１３１の凹部１３１ａと背面側ガスケット１３２の凹部１３２ａとの間に挟まれている。
【００２２】
また、図６及び図７に示されるように、ベース１１０の正面側は、光コネクタ２０の接続面２０ｄ側の一部が、ベース１１０の外に出るように開いている。尚、光コネクタ２０の接続面２０ｄ側には、通信装置１０の筐体１１の開口部１２に差し込まれる光ファイバーの接続端面２１が露出している。
【００２３】
また、図８及び図９に示されるように、カバー１２０には、光コネクタ２０が入れられたベース１１０を覆うことのできる凹部１２１が設けられている。尚、図８（ａ）は、カバー１２０の外側の面から見た斜視図であり、図８（ｂ）は、カバー１２０の内側の面から見た斜視図である。図９（ａ）は、カバー１２０の上面図、図９（ｂ）は正面図、図９（ｃ）は背面図、図９（ｄ）は側面図、図９（ｅ）は底面図である。
【００２４】
カバー１２０の凹部１２１は、底面を形成する底部１２２と、底部１２２の周囲に設けられた対向する２つの側壁部１２３と、正面側の正面開口１２４を有する正面壁部１２５により形成されており、背面側は開いている。
【００２５】
カバー１２０の凹部１２１は、ベース１１０が入れられた光コネクタ２０を覆うことができるように形成されており、カバー１２０の凹部１２１を取り付けることにより、光コネクタ２０の上面２０ｅは、カバー１２０の凹部１２１の底部１２２により覆われる。また、ベース１１０の両側の側壁部１１３の外側の面１１３ｂは、カバー１２０の凹部１２１の両側の側壁部１２３の内側の面１２３ａにより覆われる。また、カバー１２０は、光コネクタ２０の背面２０ｃ側が開いており、正面側は光コネクタ２０の接続面２０ｄ側の一部が、カバー１２０の外に出るように正面開口１２４を有する正面壁部１２５が設けられている。
【００２６】
図６及び図７に示されるように、ベース１１０の凹部１１１の両側の側壁部１１３の外側の面１１３ｂには、Ｌ字状の溝部１１６が形成されている。具体的には、溝部１１６は、縦溝１１６ａと横溝１１６ｂとにより形成されている。溝部１１６は、ベース１１０の上面側において、縦溝１１６ａの一方の端が開いており、縦溝１１６ａの他方の端と横溝１１６ｂの一方の端とが接続されてＬ字状になっており、横溝１１６ｂの他方の端は閉じられている。また、図８及び図９に示されるように、カバー１２０の両側の側壁部１２３の内側の面１２３ａには、ベース１１０の側壁部１１３の外側の面１１３ｂの溝部１１６に入れられる突起１２６が設けられている。
【００２７】
また、ベース１１０の底部１１２の正面側には、接続側ガスケット１４１が設けられており、カバー１２０の正面側の正面壁部１２５の外側の面１２５ａには、正面開口１２４の周囲に接続側ガスケット１４２が設けられている。接続側ガスケット１４１、１４２は、電磁波を遮断する材料であって、スポンジ状の弾性を有する材料により形成されている。また、ベース１１０の接続面側の接続側ガスケット１４１が設けられている部分の両端の下部、即ち、ベース１１０の底部１１２の正面側の外側の面には、切り欠け部１１７が形成されている。これに対応し、カバー１２０の正面壁部１２５の内側の面１２５ｂの側には、切り欠け部１１７に入り込むことができる形状の引っ掛け部１２７が設けられている。
【００２８】
本実施の形態においては、ベース１１０とカバー１２０により、光コネクタ２０が覆われている状態では、ベース１１０の側壁部１１３の外側の面１１３ｂと、カバー１２０の側壁部１２３の内側の面１２３ａとが接するように形成されている。更に、ベース１１０の側壁部１１３の正面１１３ｃと、カバー１２０の正面壁部１２５の内側の面１２５ｂとが接するように形成されている。
【００２９】
（接続部シールド部材の取り付け方法）
次に、本実施の形態における接続部シールド部材を光コネクタに取り付ける方法について説明する。
【００３０】
最初に、図１０（ａ）に示すように、本実施の形態における接続部シールド部材が取り付けられる光コネクタ２０とベース１１０、背面側ガスケット１３１、１３２を準備し、図１０（ｂ）に示すように、ベース１１０の凹部１１１に光コネクタ２０を入れる。光コネクタ２０は、光コネクタ２０の底面２０ａ側より、ベース１１０の凹部１１１に入れる。これにより、光コネクタの底面２０ａ及び側面２０ｂの一部は、ベース１１０の底部１１２及び側壁部１１３により覆われる。
【００３１】
次に、図１１（ａ）に示すように、ベース１１０の凹部１１１に光コネクタ２０の一部が入れられたものの上から、カバー１２０を被せる。カバー１２０は、凹部１１１に光コネクタ２０が入れられているベース１１０をカバー１２０の凹部１２１により覆うように被せる。この際、ベース１１０の側壁部１１３の外側の面１１３ｂに設けられた溝部１１６の縦溝１１６ａの上面側の端より、カバー１２０の側壁部１２３の内側の面１２３ａに設けられた突起１２６を入れ、ベース１１０に対しカバー１２０を破線矢印Ａに示す方向に動かす。これにより、カバー１２０の側壁部１２３の内側の面１２３ａに設けられた突起１２６は、縦溝１１６ａ内を移動し、溝部１１６の縦溝１１６ａと横溝１１６ｂとの間の位置まで動く。
【００３２】
次に、図１１（ｂ）に示すように、ベース１１０に対しカバー１２０を破線矢印Ｂに示す方向に動かす。これにより、カバー１２０の側壁部１２３の内側の面１２３ａに設けられた突起１２６は、ベース１１０の側壁部１１３の外側の面１１３ｂに設けられた溝部１１６の横溝１１６ｂを、横溝１１６ｂの閉じられている端部１１６ｃの近傍まで移動する。これにより、光コネクタ２０に、本実施の形態における接続部シールド部材であるベース１１０及びカバー１２０が取り付けられる。尚、前述した図４及び図５は、この状態を示すものである。
【００３３】
この状態においては、図６及び図７等にも示されるベース１１０の正面側に設けられた切り欠け部１１７に、図８及び図９等にも示されるカバー１２０の正面壁部１２５の内側の面１２５ｂに設けられた引っ掛け部１２７が入り込んでいる。また、ベース１１０の溝部１１６にカバー１２０の側壁部１２３の内側の面１２３ａに設けられた突起１２６が入り込んでいる。このため、光コネクタ２０を覆った状態で、ベース１１０とカバー１２０とは固定されている。
【００３４】
また、ベース１１０の接続面側には、スポンジ状の接続側ガスケット１４１が設けられており、カバー１２０の接続面側には、スポンジ状の接続側ガスケット１４２が設けられている。従って、接続側ガスケット１４１及び１４２は、ベース１１０及びカバー１２０により形成される本実施の形態における接続部シールド部材より外に出ている光コネクタ２０の周囲を囲んでいる。
【００３５】
次に、図１２（ａ）に示されるように、ベース１１０及びカバー１２０が取り付けられた光コネクタ２０を通信装置１０の筐体１１の開口部１２の入口の近傍まで動かした後、図１２（ｂ）に示されるように、光コネクタ２０を通信装置１０に接続する。具体的には、通信装置１０の筐体１１の開口部１２に、光ファイバーの接続端面２１が設けられている接続面２０ｄ側より光コネクタ２０を入れる。これにより、図１２（ｂ）に示されるように、光コネクタ２０の本実施の形態における接続部シールド部材であるベース１１０及びカバー１２０により覆われてはいない部分が、通信装置１０の筐体１１の内側に入り込む。
【００３６】
このように、光コネクタ２０を接続面２０ｄ側より、通信装置１０の筐体１１の開口部１２に入れることにより、ベース１１０の接続面側及びカバー１２０の接続面側に設けられた接続側ガスケット１４１及び１４２が、通信装置１０の筐体１１と接触する。ベース１１０の接続面及びカバー１２０の接続面に取り付けられている接続側ガスケット１４１及び１４２は、弾性を有するスポンジ状のガスケットであるため、通信装置１０の筐体１１と接続側ガスケット１４１及び１４２とを密着させることができる。また、ベース１１０の凹部１１１の側壁部１１３の外側の面１１３ｂは、カバー１２０の側壁部１２３の内側の面１２３ａと接している。また、光コネクタ２０の背面側は、光コネクタ２０のピグテール４０を囲む背面側ガスケット１３１、１３２及びベース１１０の背面壁部１１４により覆われている。
【００３７】
従って、光コネクタ２０において、本実施の形態における接続部シールド部材に覆われていない部分は、通信装置１０の筐体１１内に入り込んでおり、通信装置１０の筐体１１よりも外の部分は、ベース１１０とカバー１２０により覆われている。よって、通信装置１０の筐体１１の内部において、ノイズとなる高い周波数の電磁波が発生しても、筐体１１の光コネクタ２０が接続される開口部１２は、電磁波をシールドするベース１１０とカバー１２０等により覆われている。このため、筐体１１の開口部１２より漏れた電磁波は、ベース１１０とカバー１２０により遮蔽され、ノイズとなる電磁波が外に漏れることを防ぐことができる。また、通信装置１０の筐体１１とベース１１０及びカバー１２０との間には、接続側ガスケット１４１及び１４２が設けられいるため、この部分よりノイズとなる電磁波が漏れ出すことはない。
【００３８】
図１３は、本実施の形態における接続部シールド部材であるベース１１０とカバー１２０により覆われた光コネクタが、通信装置１０の筐体１１の開口部１２に差し込まれた状態を示す。本実施の形態における接続部シールド部材は、既存の光コネクタ２０をそのまま覆うことにより、電磁シールドをすることができる。従って、既存の光コネクタ２０をそのまま用いることができ、既に、設置されている通信装置に接続されている光コネクタにも適用することが可能である。
【００３９】
また、本実施の形態における接続部シールド部材は、各々の光コネクタ２０を覆う構造のものであるため、通信装置１０の全体を覆う場合と比べて、装置が大型化することを防ぐことができる。尚、通信装置１０の筐体１１の開口部１２において、本実施の形態における接続部シールド部材が取り付けられている光コネクタ２０が接続されていない開口部１２には、電磁シールドの機能を有するダミー部材等と取り付けてもよい。
【００４０】
上記においては、光コネクタ２０の内部には、半導体素子等の電子素子が設けられていない場合について説明したが、光コネクタ２０の内部に受光素子、発光素子、その他の電子素子が設けられているものであってもよい。本実施の形態における接続部シールド部材は、このような場合においても、上記と同様に、電子素子等において発生した電磁波を遮断することができる。
【００４１】
以上、実施の形態について詳述したが、特定の実施形態に限定されるものではなく、特許請求の範囲に記載された範囲内において、種々の変形及び変更が可能である。
【００４２】
上記の説明に関し、更に以下の付記を開示する。
（付記１）
通信装置に接続されるコネクタに取り付けられる接続部シールド部材であって、
電磁波を遮蔽する材料により形成された第１の部材及び第２の部材を有し、
前記第１の部材と前記第２の部材とは、前記第１の部材と前記第２の部材とにより、前記コネクタの一部が挟まれた状態で固定されており、
前記第１の部材または前記第２の部材の前記通信装置に取り付けられる側には、電磁波を遮蔽する材料により形成されたガスケットが設けられており、
前記通信装置に前記コネクタが接続されている状態においては、前記ガスケットは、前記通信装置の筐体と接していることを特徴とする接続部シールド部材。
（付記２）
前記第１の部材には、前記コネクタの一部が入る凹部が設けられており、
前記第２の部材には、前記第１の部材の一部または全部が入る凹部が設けられており、
前記第１の部材の側壁部の外側の面、または、前記第２の部材の側壁部の内側の面のうちの一方には溝部が設けられており、他方には前記溝部に対応した突起が設けられており、
前記溝部に前記突起が入り込むことにより、前記第１の部材と前記第２の部材とが固定されていることを特徴とする付記１に記載の接続部シールド部材。
（付記３）
前記第１の部材及び前記第２の部材は、金属材料により形成されていることを特徴とする付記１または２に記載の接続部シールド部材。
（付記４）
前記第１の部材及び前記第２の部材は、ダイキャストにより形成されたものであることを特徴とする付記３に接続部シールド部材。
（付記５）
前記第１の部材及び前記第２の部材の前記通信装置に取り付けられる側には、電磁波を遮蔽する材料により形成されたガスケットが各々設けられており、
前記通信装置に前記コネクタが接続されている状態においては、各々の前記ガスケットは、前記通信装置の筐体と接していることを特徴とする付記１から４のいずれかに接続部シールド部材。
（付記６）
前記第１の部材における凹部の壁部と、前記コネクタの光ケーブルが接続されている面との間には、ガスケットが設けられていることを特徴とする付記１から５のいずれかに接続部シールド部材。
（付記７）
前記ガスケットは、弾性を有することを特徴とする付記１から６のいずれかに接続部シールド部材。
（付記８）
前記コネクタは、光信号を電気信号に、または、電気信号を光信号に変換する通信装置に接続される光コネクタであることを特徴とする付記１から７のいずれかに記載の接続部シールド部材。
（付記９）
通信装置に接続されるコネクタに取り付けられる接続部シールド部材による接続部シールド方法であって、
接続部シールド部材は、電磁波を遮蔽する材料により形成された第１の部材及び第２の部材を有し、
前記第１の部材と前記第２の部材とは、前記第１の部材と前記第２の部材とにより、前記コネクタの一部が挟まれた状態で固定されており、
前記第１の部材または前記第２の部材の前記通信装置に取り付けられる面には、電磁波を遮蔽する材料により形成されたガスケットが設けられており、
前記通信装置に前記コネクタが接続されている状態においては、前記ガスケットは、前記通信装置の筐体と接していることを特徴とする接続部シールド方法。
（付記１０）
前記コネクタは、光信号を電気信号に、または、電気信号を光信号に変換する通信装置に接続される光コネクタであることを特徴とする付記９に記載の接続部シールド方法。
【符号の説明】
【００４３】
１０        通信装置
１１        筐体
１２        開口部
２０        光コネクタ
２０ａ      底面
２０ｂ      側面
２０ｃ      背面
２０ｄ      接続面
２１        接続端面
３０        光ケーブル
４０        ピグテール
１１０      ベース
１１１      凹部
１１２      底部
１１３      側壁部
１１３ａ    内側の面
１１３ｂ    外側の面
１１４      背面壁部
１１５      背面開口
１１６      溝部
１１６ａ    縦溝
１１６ｂ    横溝
１１７      切り欠け部
１２０      カバー
１２１      凹部
１２２      底部
１２３      側壁部
１２３ａ    内側の面
１２３ｂ    外側の面
１２４      正面開口
１２５      正面壁部
１２６      突起
１２７      引っ掛け部
１３１      背面側ガスケット
１３１ａ    凹部
１３２      背面側ガスケット
１３２ａ    凹部
１４１      接続側ガスケット
１４２      接続側ガスケット
【図１】
2018113376.tif 000003
【図２】
2018113376.tif 000004
【図３】
2018113376.tif 000005
【図４】
2018113376.tif 000006
【図５】
2018113376.tif 000007
【図６】
2018113376.tif 000008
【図７】
2018113376.tif 000009
【図８】
2018113376.tif 000010
【図９】
2018113376.tif 000011
【図１０】
2018113376.tif 000012
【図１１】
2018113376.tif 000013
【図１２】
2018113376.tif 000014
【図１３】
2018113376.tif 000015